(57)【要約】【課題】ケースとクリップ及びフックを一体にして、ケース内に収納可能にした収納式ハンガーを提供する。【解決手段】二つの可動ケース片からなる開閉可能なケースと、前記可動ケース片の周壁に回動可能に取り付けられたクリップ体と、前記ケース中央付近に設けられたフック部とから構成され、前記クリップ体及び前記フック部はケース内に収納可能となったものであることを特徴とする収納ハンガー。【選択図】図１
2008080081.tif 000002
【特許請求の範囲】
【請求項１】
二つの可動ケース片からなり、水平に開口した状態で止まるようにした開閉可能な収納ケースと、前記可動ケース片の周壁に回動可能に取り付けられたクリップ体と、前記ケース中央付近に設けられたフック部とから構成され、前記クリップ体及び前記フック部はケース内に収納可能となったものであることを特徴とする収納式ハンガー。
【請求項２】
ケース片内壁にクリップ体の被挟持体を複数備えたことを特徴とする請求項１記載の収納式ハンガー。
【発明の詳細な説明】
【技術分野】
【０００１】  本発明は、ケースとクリップ及びフックを一体にして、ケース内に収納可能にした収納式ハンガーに関するものである。
【背景技術】
【０００２】  従来、ハンガーを袋等に入れて持ち運びするハンガーがあった。また、ハンガーを袋に入れないで衣類等と一緒に旅行ケースに入れて持ち運んでいた。
【発明の開示】
【発明が解決しようとする課題】
【０００３】  そのため次のような問題点があった。
（イ）ハンガーを袋に入れるのが面倒であった。
（ロ）ハンガーを袋に入れないで衣類等と一緒に旅行ケースに入れると、ハンガーと衣類等が絡まって扱いに不便であった。
（ハ）ハンガーを吊るした状態で、クリップ体同士が絡んだり、クリップ体に挟んだ衣類同士が絡まりやすかった。
本発明は、これらの問題点を解決するためになされたものである。
【課題を解決するための手段】
【０００４】  ２つの可動ケース片（１）が軸（５）を介して開閉できるように回動可能に接続することで、収納ケースを構成する。収納ケースの中央の連結部にフック部（３）を有するフック部材を軸着する。ケース片（１）の周壁部（４）に回動可能にクリップ体（２）を設ける。ケース片（１）の周壁部（４）に留め具（１４）を設ける。ケース片（１）の底板（７）に被挟持体（８）を設ける。以上を特徴とする収納式ハンガーである。
【発明の効果】
【０００５】  ケースにクリップ体及びフック部が接続され一体となっており、クリップ体及びフック部をケースに収納するのが容易である。
ケースにクリップ体及びフック部を収納し、二つのケース片を閉じた状態にすると、ケースの外側に衣類等が絡まりやすい突起物が無いので、ケースと衣類等の他の物とが絡みにくく、取り扱いが容易である。
また図１に示すように、クリップ体が、周壁部の外側から吊り下げられるので、クリップ体とクリップ体が絡みにくく、取り扱いが容易である。
また、クリップ体が破損しても、着脱が可能なために別のクリップ体と取替えられる。
また、ケース片は、フック部材と一体のストッパー片を固定片つき軸受け部にある固定片が両側から挟んで固定するために、洗濯物を端の方のクリップ体に挟んでも極端に傾かない。
収納時にクリップ体が被挟持体を挟むことで固定されるため、収納ケース内でクリップ体が不必要に動かない。そのことでクリップ体同士が絡まない。
【発明を実施するための最良の形態】
【０００６】  以下、本発明の実施の形態について説明する。
本発明は、収納ケースと、複数のクリップ体（２）と、フック部（３）とにより構成されている。
収納ケースは左右対称となった一対の可動ケース片（１）からなる。図の事例においてこの可動ケース片（１）は略半楕円形状の底板（７）と、この底板（７）の周辺に立設された周壁部（４）からなるものである。収納ケース同士が接する隣接周壁部（４ａ）は直線状となっており、その他開放周壁部（４ｂ）は湾曲した形状となっている。
２つのケース片（１）の周壁部（４）の隣接周壁部（４ａ）の上部にはケース軸受け部（６）と固定片つき軸受け部（１６）が設けられている。このケース軸受け部（６）と固定片つき軸受け部（１６）は図６に示すように、２つのケース片（１）にあるそれぞれが交互に直線的に組み込まれ、軸（５）で回動可能に取り付けられている。
固定片つき軸受け部（１６）の固定片が、ストッパー片（１５）を両側から挟んで固定される。
周壁部（４）の開放周壁部（４ｂ）には留め具が設けられており、留め具オス（１４ａ）と留め具メス（１４ｂ）が嵌合する位置に、それぞれ設けられている。
周壁部（４）の開放周壁部（４ｂ）には間隔をあけて切り欠き部（９）が複数形成されている。切り欠き部（９）は図５に示すように、開放周壁部（４ｂ）をコの字型に切り欠いたものである。
切り欠き部（９）に隣接する左右の開放周壁部（４ｂ）には切り欠き軸受け部（１７）が設けられている。この切り欠き軸受け部（１７）は、中間部に抜けストッパーとなる湾曲面を有するものである。
フック部（３）は、フック部材の一端が半円状に湾曲されており、この部分がフック部（３）である。他の一端は図６に示すように、軸受け部（１８）とストッパー片（１５）が設けられている。フック部材は、軸受け部（１８）を介してケース軸受け部（６）及び固定片つき軸受け部（１６）とともに直線的に組み込まれ、軸（５）で回動可能に取り付けられている。
クリップ体（２）は、２つの可動片（２ｂ）が支点（２ａ）で回動可能に接続され、バネ（２ｃ）で圧迫固定されている。このクリップ体（２）は、バネ（２ｃ）が吊持体（１２）の一端に取り付けられ、吊持体（１２）の他の一端の回動連結部（１１）が図５の突起芯（１０）を介して切り欠き軸受け部（１７）に取り付けられて、２つのケース片（１）の周壁部（４）の開放周壁部（４ｂ）に接続されている。
本発明は以上の構成よりなる。
以下、使用方法を説明する。
これを使用するときは、２つのケース片（１）の留め具オス（１４ａ）と留め具メス（１４ｂ）を外して開き、クリップ体（２）を被挟持体（８）から外し、周壁部（４）の開放周壁部（４ｂ）の外側から吊り下げる。
屋内外の引っ掛け可能な部位にフック部（３）を引っ掛ける。そして、洗濯物をクリップ体（２）の可動片（２ｂ）の部分で挟んで吊り下げる。
収納するときは、クリップ体（２）を被挟持体（８）に挟んで留め、２つのケース片（１）を閉じて、留め具オス（１４ａ）と留め具メス（１４ｂ）で留める。
【図面の簡単な説明】
【０００７】
【図１】本発明の斜視図
【図２】本発明の斜視図
【図３】本発明の斜視図
【図４】本発明の斜視図
【図５】本発明の斜視図
【図６】本発明の斜視図
【図７】本発明の留め具嵌合状態の部分拡大断面図
【図８】本発明のＡ−Ａ部分拡大端面図
【符号の説明】
【０００８】１  ケース片
２  クリップ体
２ａ  支点
２ｂ  可動片
２ｃ  バネ
３  フック部
４  周壁部
４ａ  隣接周壁部
４ｂ  開放周壁部
５  軸
６  ケース軸受け部
７  底板
８  被挟持体
９  切り欠き部
１０  突起芯
１１  回動連結部
１２  吊持体
１３  取り付け部
１４ａ  留め具オス
１４ｂ  留め具メス
１５  ストッパー片
１６  固定片つき軸受け部
１７  切り欠き軸受け部
１８  軸受け部
【図１】
2008080081.tif 000003
【図２】
2008080081.tif 000004
【図３】
2008080081.tif 000005
【図４】
2008080081.tif 000006
【図５】
2008080081.tif 000007
【図６】
2008080081.tif 000008
【図７】
2008080081.tif 000009
【図８】
2008080081.tif 000010